(57)【要約】【課題】長さまたは厚さが異なる種類チューナ等の高周波部品を、１個の箱内に容易に収容できるような高周波部品輸送用梱包箱を提供する。【解決手段】箱本体４と、この箱本体４の内部において、長手方向に沿って複数の切欠が設けられた第１仕切り板１と、第１仕切り板１の切欠１ａ，１ｂに挿入されて第１仕切り板１と直交し、第１仕切り板１の長手方向へ移動不能に配設された第２仕切り板２と、第１仕切り板１と箱本体４の内壁との空隙に配置されるストッパー３とを備える。第１仕切り板１は、第２仕切り板２との直交状態を維持して第２仕切り板２に沿って移動可能である。【選択図】図１
2009280220.tif 000002
【特許請求の範囲】
【請求項１】
複数の長手の高周波部品を梱包して輸送するための高周波部品輸送用梱包箱であって、
箱本体と、
前記箱本体の内部において、長手方向に沿って複数の切欠が設けられた第１仕切り板と、
前記第１仕切り板の切欠に挿入されて前記第１仕切り板と直交し、前記第１仕切り板の長手方向へ移動不能に配設された第２仕切り板と、
前記第１仕切り板と前記箱本体の内壁との空隙に配置されるストッパーとを備え、
前記第１仕切り板は、前記第２仕切り板との直交状態を維持して前記第２仕切り板に沿って移動可能である、高周波部品輸送用梱包箱。
【請求項２】
複数の長手の高周波部品を梱包して輸送するための高周波部品輸送用梱包箱あって、
箱本体と、
前記箱本体の内部において、長手方向に沿って、それぞれ複数の切欠が設けられ、互いに略並行に配された、複数の第１仕切り板と、
前記第１仕切り板の切欠に挿入されて前記第１仕切り板と直交し、前記第１仕切り板の長手方向へ移動不能に配設された、複数の第２仕切り板と、
前記複数の第１仕切り板のうちの、前記第２仕切り板の長手方向の一端側の第１仕切り板と前記箱本体の内壁との空隙に配置されるストッパーとを備え、
前記複数の第１仕切り板のうち、前記第２仕切り板の長手方向の他端側の第１仕切り板を除いて、前記第２仕切り板との直交状態を維持して前記第２仕切り板に沿って移動可能である、高周波部品輸送用梱包箱。
【請求項３】
前記第１仕切り板には、上端部において長手方向に沿って複数の前記切欠が設けられ、前記第２仕切り板には、その下端部の長手方向一端付近に切欠が設けられ、前記第２仕切り板の前記切欠は、前記第２仕切り板の長手方向の前記他端側の第１仕切り板の前記切欠と嵌り合うことにより、該第１仕切り板を固定する、請求項２に記載の高周波部品輸送用梱包箱。
【請求項４】
前記ストッパーは、矩形板によって構成され、該矩形板の長手方向中央に中央折り目が設けられるとともに、該中央折り目に関して線対称位置の両側の所定箇所に、前記中央折り目に平行な複数個の長さ調節用折り目が設けられた、請求項１〜３のいずれかに記載の高周波部品輸送用梱包箱。
【発明の詳細な説明】
【技術分野】
【０００１】
本発明は、放送受信用のチューナ等の高周波部品を収納・運搬するための、高周波部品輸送用梱包箱に関するものである。
【背景技術】
【０００２】
梱包されるチューナは、通常、図４に示すような概観となっている。図４に示す構造において、チューナＡの下部に設けられているピンＡ１は信号ラインとして、放送受信機のマザーボードＢから電源供給を受け、信号出力を行なう。チューナとマザーボードとを固定するために、チューナシャーシに凸部Ａ２を設け、ピンＡ１と同時にマザーボードと半田付けされる。図４において、矢印Ａは信号入力を、矢印Ｙは半田付けの際のチューナＡの移動方向を、それぞれ示している。図４手前側に突き出ている信号入力端子Ａ３は、通常、家庭内へ配信されてくる信号ケーブルを固定し、信号を取り込むために設けられている。入力信号端子の径は通常、規格で定められており、サイズは統一されている。これにより、チューナ幅に関しては、若干のばらつきはあるが、ほぼ統一された厚みとなっている。
【０００３】
しかしながら、チューナ本体のサイズは、チューナ機能，チューナ内に搭載されるデバイスのサイズおよびチューナの用途（衛星・地上波・ＣＡＴＶ等）によりまちまちになっている。従来のチューナ梱包箱の概観を図５に示す。梱包箱は通常、ダンボール材などが用いられ、チューナ固定用の仕切り板などにより構成される。図５に示すように、梱包箱４内において、仕切り板により各チューナＡが固定されている。縦横の仕切り板１Ｐ，２Ｐは格子状に組まれ、これらの仕切り板１Ｐ，２Ｐの間隙に、チューナＡを挿入し固定する形態としている。図５に示すように、縦横の仕切り板１Ｐ，２Ｐには、それぞれにチューナＡの長さ・厚さに対応した間隔で、切欠１Ｐａ，２Ｐａが設けられており、この切欠１Ｐａ，２Ｐａを相互に嵌め合せることにより、仕切り板１Ｐ，２Ｐが格子状をなして互いに固定されている。
【０００４】
上記従来のチューナ輸送用の梱包箱と同様の構造を開示した先行文献として、特許文献１が挙げられる。この特許文献１の技術においても、縦横の仕切り板には、それぞれにチューナの長さ・厚さに対応した間隔で切欠が設けられている。
【特許文献１】特開２００２−８７４９２号公報
【発明の開示】
【発明が解決しようとする課題】
【０００５】
図６に示された、縦横の仕切り板１Ｐ，２Ｐに設けられている切欠１Ｐａ，２Ｐａの間隔は、チューナＡのサイズにより規定されている。すなわち、梱包されるチューナＡのサイズにより、切欠１Ｐａ，２Ｐａの間隔を変える必要があるため、チューナ仕様ごとに梱包箱の仕様を変更する必要がある。このように、チューナＡのサイズは機能・用途によって異なるため、専用の梱包箱を用意する必要があり、これにより、チューナＡに対応した梱包箱の管理が必要になる。また、新規モデルのチューナが製品化される度に、梱包箱についても新規設計の手間がかかることになる。
【０００６】
本発明は上記問題点を解消し、長さまたは厚さが異なる種類のチューナを１個の箱内に容易に収容できるような、チューナ等の高周波部品輸送用梱包箱を提供することを目的とする。
【課題を解決するための手段】
【０００７】
本発明の高周波部品輸送用梱包箱は、複数の長手の高周波部品を梱包して輸送するための高周波部品輸送用梱包箱あって、箱本体と、この箱本体の内部において、長手方向に沿って複数の切欠が設けられた第１仕切り板と、第１仕切り板の切欠に挿入されて第１仕切り板と直交し、第１仕切り板の長手方向へ移動不能に配設された第２仕切り板と、第１仕切り板と箱本体の内壁との空隙に配置されるストッパーとを備える。第１仕切り板は、第２仕切り板との直交状態を維持して第２仕切り板に沿って移動可能である。
【０００８】
本発明の高周波部品輸送用梱包箱は、一実施形態において、箱本体と、この箱本体の内部において、長手方向に沿って、それぞれ複数の切欠が設けられ、互いに略並行に配された、複数の第１仕切り板と、第１仕切り板の切欠に挿入されて第１仕切り板と直交し、第１仕切り板の長手方向へ移動不能に配設された、複数の第２仕切り板と、複数の第１仕切り板のうちの、第２仕切り板の長手方向の一端側の第１仕切り板と箱本体の内壁との空隙に配置されるストッパーとを備える。複数の第１仕切り板のうち、第２仕切り板の長手方向の他端側の第１仕切り板を除いて、第２仕切り板との直交状態を維持して第２仕切り板に沿って移動可能である。
【０００９】
本発明の好ましい実施形態においては、第１仕切り板には、上端部において長手方向に沿って複数の切欠が設けられ、第２仕切り板には、その下端部の長手方向一端付近に切欠が設けられ、第２仕切り板の切欠は、第２仕切り板の長手方向の他端側の第１仕切り板の切欠と嵌り合うことにより、その第１仕切り板を固定する。
【００１０】
ストッパーとしては、たとえば、矩形板によって構成され、該矩形板の長手方向中央に中央折り目が設けられるとともに、該中央折り目に関して線対称位置の両側の所定箇所に、中央折り目に平行な複数個の長さ調節用折り目が設けられたものを適用することができる。
【発明の効果】
【００１１】
上記構成を備えた本発明の高周波部品輸送用梱包箱により、長さまたは厚さが異なる種類の高周波部品でも、１個の箱内に納めることにより梱包箱を共用化でき、梱包箱に対する新規設計の手間を省くことができる。また、同じ仕様の梱包箱が大量生産されることにより、梱包箱の価格低減を図ることができる。
【発明を実施するための最良の形態】
【００１２】
以下、本発明の一実施形態を図面に基づき説明する。本実施形態においては、高周波部品の一例として、放送受信用のチューナを収納して輸送する梱包箱について説明する。まず、本発明の高周波部品輸送用梱包箱の構成の大要は次の通りである。図１に示すように、本発明の高周波部品輸送用梱包箱は、箱本体４と、この箱本体４の内部を格子状に複数の区画に隔離する、複数の第１および第２仕切り板１，２を備える。図２に示すように、第１仕切り板（縦仕切り板）１の形状は、従来と同等に、梱包対象となるチューナＡの厚みに対応した切欠１ｂが設けられているが、第２仕切り板（横仕切り板）２については、一端部近傍を除く大部分の範囲で切欠を設けない形状とする。
【００１３】
そして、図１に示すように、チューナＡは、厚み方向に関しては第２仕切り板２の間に挟みこむ形で固定する。長手方向に関しては、まず、最左端の一列の区画の全てにチューナＡを挿入した後、自由に移動できる第１仕切り板１により、図中、右側から左へスライドさせ、チューナ端で固定できる位置まで移動させる。次の列についても同様の作業を繰り返し、左端の列から順にチューナＡを収納していく。そして、最右端の第１仕切り板１と箱本体４の内壁との空隙には、最右端の第１仕切り板１をチューナＡの端部に当接した状態で固定するためのストッパー３を配置する。
【００１４】
図２に示すように、第１仕切り板１には、チューナＡを厚み方向に固定する第２仕切り板２をはめ込んで位置決めする複数の切欠１ｂが、長手方向に沿って設けられている。第２仕切り板２により、チューナＡを第１仕切り板１の長手方向に固定される。この第２仕切り板２は、第１仕切り板１と直交するように、第１仕切り板１の切欠１ｂに嵌め込まれ、かつ、第１仕切り板１の最左端のものの切欠１ａと互いに嵌り合う切欠２ａを有する。そして、第１仕切り板１のうちの最左端のものを除く他のものは、第２仕切り板２と直交する箇所において第２仕切り板２と相対的に摺動可能になっており、第２仕切り板２の長手方向に移動可能である。
【００１５】
ここで、第１仕切り板１は、上側で長手方向に沿って複数の切欠１ｂが設けられ、これらの第１仕切り板１の一端部のものの切欠１ａは、他のものの切欠１ｂの深さよりも浅い。第２仕切り板２は、下側で長手方向一端付近に切欠２ａが設けられている。そして、図１において、包装箱内に複数の第１仕切り板１が切欠１ｂを上にして置かれ、第１仕切り板１の切欠１ｂに挿入されて複数の第２仕切り板２が切欠２ａを下にして置かれる。図２の実施形態における第１仕切り板１の最左端のものは、その端部側の切欠１ｂが第２仕切り板２の切欠２ａに嵌めこまれて位置決めされる。そして、その他の第１仕切り板１は、チューナＡの長さに応じて移動される。
【００１６】
ここで、図中の最右列まで収納が完了すると、最終的にチューナＡの長さＬと、梱包箱長さＬboxとの関係に応じた、余りの部分が発生することになる。この余りの部分に対して、図３に示すようにストッパー３を挿入する。ストッパーは、縦仕切り板を横方向に移動することを防ぐ目的に挿入するものであり、ストッパーの長さは、上記余りの部分を埋めるにことができる長さに設定する。この部分については、チューナサイズ（長さ）に応じて対応する必要がある。
【００１７】
ストッパー長さは、おおむね、下記計算式により導出できる。
Ｌstopper=Ｌbox−（Ｌ１＋‥‥‥＋Ｌｎ）
Ｌstopper：ストッパー長さ
Ｌbox：梱包箱長さ
Ｌ：チューナ長さ
ｎ：チューナ横方向の配列数
ストッパー３は、たとえば図３（ａ），（ｂ）に示すように、１枚のダンボール板材を、上記式から導出されたストッパー長さに応じて、山折の屈曲を繰り返すこと等で形成することができる。すなわち、ストッパーは屈曲可能な矩形板からなり、長手方向の中央に中央折り目３ａが設けられ、それを境界として線対称位置のチューナの長さの種類に応じた箇所に折り目３ｂ、３ｃ、３ｄが設けられる。そして、中央折り目３ａを頂点とする三角山形状に屈曲され、山の高さ方向を第１仕切り板１と箱壁との間隔方向に合わせて空隙内に配置される。図３（ａ）は、ストッパー３による最も長いストッパー長さ（Ｌstopper）を確保するために、折り目３ｄで折り曲げた場合、図３（ｂ）は、それよりも１段階短いストッパー長さを得るために、折り目３ｃで折り曲げた場合をそれぞれ示している。このように、収納されるチューナＡの長さに応じたストッパー長さを設定することにより、最右の縦仕切り板が左右に移動できないように固定され、梱包箱におけるチューナＡを横方向に対して固定されることになる。
【００１８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００１９】
【図１】本発明の一実施形態の分解斜視図である。
【図２】仕切り板の拡大斜視説明図である。
【図３】本発明の一実施形態におけるストッパーの配置を示す説明図である。
【図４】従来技術のチューナの取付状態を示す概略斜視図である。
【図５】従来技術の梱包箱の分解斜視図である。
【図６】従来技術の仕切り板の拡大斜視説明図である。
【符号の説明】
【００２０】
Ａ  チューナ、Ｂ  受信機マザーボード、１  第１仕切り板、1ａ，１ｂ，２ａ  切欠、２  第２仕切り板、３  ストッパー、３ａ  中央折り目、３ｂ，３ｃ  折り目、４  箱本体。
【図１】
2009280220.tif 000003
【図２】
2009280220.tif 000004
【図３】
2009280220.tif 000005
【図４】
2009280220.tif 000006
【図５】
2009280220.tif 000007
【図６】
2009280220.tif 000008